(57)【特許請求の範囲】
【請求項１】
上ラッパテープ（６）用のテープ生地（６ａ）をそのテープ幅方向に二つ折りさせた状態でミシン（１５）へ向けて送り出す第１ガイド（３０）と、下ラッパテープ（７）用のテープ生地（７ａ）をそのテープ幅方向に二つ折りさせた状態でミシン（１５）へ向けて送り出す第２ガイド（３１）とを有し、
これら第１ガイド（３０）と第２ガイド（３１）とが並設されていると共に、第１ガイド（３０）の生地送出口部（３６）と第２ガイド（３１）の生地送出口部（３７）とが互いに上下に並び且つ左右に偏心して設けられることで、これら両ガイド（３０，３１）から送り出される上ラッパテープ（６）と下ラッパテープ（７）とについて互いの折り山側を左右に位置ズレさせた重ね状態に保持させることを特徴とする二重ラッパ部付き衣類の製造に用いる生地送りガイド。
【請求項２】
前記第１ガイド（３０）及び前記第２ガイド（３１）は、それぞれの生地送出口部（３６，３７）をミシン（１５）の縫製作業位置（Ｗ）へ向けた状態としつつこれら生地送出口部（３６，３７）へ至る一次側のガイド通路をミシン（１５）側方部へターンさせて周辺装置に邪魔にならない構造にしてあることを特徴とする請求項１記載の二重ラッパ部付き衣類の製造に用いる生地送りガイド。
【請求項３】
前記第１ガイド（３０）は上ラッパテープ（６）用のテープ生地（６ａ）が挿入される部分で該テープ生地（６ａ）をその幅方向が起立する状態に設けられており、前記第２ガイド（３１）は下ラッパテープ（７）用のテープ生地（７ａ）が挿入される部分で該テープ生地（７ａ）をその幅方向が扁平になる状態に設けられていることを特徴とする請求項１又は請求項２記載の二重ラッパ部付き衣類の製造に用いる生地送りガイド。
【発明の詳細な説明】
【０００１】
【発明の属する技術分野】
本発明は、二重ラッパ部付き衣類の製造に用いる生地送りガイドに関するものである。
【０００２】
【従来の技術】
シャツ（Ｔシャツ、ランニングシャツ、タンクトップ等をはじめ、各種の下着類を含む）の首まわりや袖口、或いはパンツの袖口（脚を通す口）など、衣類には、身生地によって形成された開口部が設けられている。そして、このような開口部には、例えば図１０に示すようなラッパ部１００が縁取り状に設けられている。
このラッパ部１００は、親子ラッパと呼ばれるもので、身生地１０１における生地端の表裏を包み込む状態に取り付けられた二つ折り構造の親ラッパテープ１０２と、この親ラッパテープ１０２における身生地１０１の外面への折り返し面１０３と身生地１０１外面との間に挟み込まれる二つ折り構造の子ラッパテープ１０４とを有している。
【０００３】
親ラッパテープ１０２は、その折り山が上記した身生地１０１の開口部１０５の内方へ向けた状態に取り付けられている。
これに対して子ラッパテープ１０４は、その折り山が上記親ラッパテープ１０２の折り山とは反対向きにして取り付けられている。
親ラッパテープ１０２と子ラッパテープ１０４とについて、それぞれ生地質の異なるものとしたり或いは色の異なるものとしたりして、衣類全体としてのアクセントや立体感等が得られるようにすることもあった。
【０００４】
【発明が解決しようとする課題】
上記従来のラッパ部１００では、親ラッパテープ１０２と子ラッパテープ１０４とが重なっている部分（図１０中にＸで示す位置）が身生地１０１を含めて６層構造となっている（なお、図例では親ラッパテープ１０２の外側端だけに折り返し１０７が設けられた片折れ構造としてあるが、折り返し１０７を親ラッパテープ１０２の内外両方の端部に設けた両折れ構造とする場合（図示略）には、７層構造となる）。
【０００５】
しかし、これに対して親ラッパテープ１０２と身生地１０１とだけが重なる部分（図中にＹで示す位置）と、子ラッパテープ１０４と身生地１０１とだけが重なる部分（図中にＺで示す位置）との２カ所では、それぞれ３層構造となっている。
このようなことから、このラッパ部１００には、その幅方向中央部に、親ラッパテープ１０２と子ラッパテープ１０４とが重なっている部分（Ｘ）に伴い、その両側の部分（Ｙ及びＺ）との境目に顕著な筋状の段差が生じたものとなっている。
【０００６】
そのため、このことが衣類の着心地や肌触りとして、違和感やゴワツキ感、場合によっては不快感を感じさせてしまうということがあった。殊に、開口部１０５の最も内周側は、上記したように親ラッパテープ１０２と身生地１０１とが重なった部分であり、即ち、親ラッパテープ１０２単独ではなく身生地１０１が芯材的な存在となっているので、その肌触り感は、そもそも硬めになっているということもあった。
また、親ラッパテープ１０２と子ラッパテープ１０４との間で生地質や色を異ならせようとする場合、子ラッパテープ１０４が親ラッパテープ１０２から露出する割合が小さいため、これを見た者へ与えるインパクトが乏しいということがあった。
【０００７】
一方、このようなラッパ部１００付きの衣類を製造する場合、ラッパ部１００を縫製するうえで、親ラッパテープ１０２か子ラッパテープ１０４のいずれか一方しか自動供給できない装置構成となっていたので、他方のテープ生地は人でによる供給を余儀なくされ、結果、作業が面倒且つ複雑となり、作業効率を高めるうえで重大なネックとなっていた。
本発明は、上記事情に鑑みてなされたものであり、着心地や肌触りを良好にさせ、また必要に応じて、アクセントや立体感としてインパクトの強いものを生じさせることができる二重ラッパ部付き衣類を製造するに際して二重ラッパ部の縫製作業を簡単且つ高能率で行えるようにした生地送りガイドを提供することを目的とする。
【０００８】
【課題を解決するための手段】
本発明は、上記目的を達成するために以下の技術的手段を講じた。
すなわち、本発明で製造される二重ラッパ部付き衣類は、身生地によって形成された開口部の生地端位置に二重ラッパ部による縁取りを備えたものである。
そして、上記二重ラッパ部は、上ラッパテープと下ラッパテープとを上ラッパテープが外向きで下ラッパテープが内向きとなる状態に重ね張りしたものとなっている。
【０００９】
このうち、上記上ラッパテープは、テープ幅方向を二つ折りにした構造を有したもので、その折り山を上記開口部の内方へ向けた状態とし、そのうえで身生地の生地端の表裏を包み込む状態に取り付けられている。
これに対し、上記下ラッパテープは、テープ幅方向を二つ折りにした構造を有したもので、やはりその折り山を上記開口部の内方へ向けた状態としている。ただ、この下ラッパテープの場合は、その折り山を上ラッパテープの折り山よりも開口部の内方へ突出させるようにしている。
【００１０】
また、この下ラッパテープは、上ラッパテープにおける身生地内側への折り返し面をその内側から覆う配置で取り付けられている。
このような構成とすれば、上ラッパテープと下ラッパテープとが重なった部分と、下ラッパテープ単独の部分とができるが、上ラッパテープだけの部分は存在しないものとなる。
そのため、上ラッパテープと下ラッパテープとが重なった部分と、下ラッパテープ単独の部分との間の１カ所にだけ段差が生じることになる。この段差は、衣類としての外向き面に向けられたものであり、着用者の肌に直接接するようにはならない。
【００１１】
しかも、下ラッパテープ単独の部分は身生地を含んでおらず、まさに下ラッパテープだけであるから、肌との接触感はとても柔軟なものとなる。
従って、この二重ラッパ部付き衣類を着用しても、違和感やゴワツキ感、或いは不快感を覚えることはなく、着心地や肌触りが良好となる。
また、上ラッパテープと下ラッパテープとの間で生地質や色を異ならせる場合、下ラッパテープを上ラッパテープから露出させる割合を大きく確保できるために、これを見る者へ強いインパクトを与えることができるようになる。そのため、衣類の全体として、アクセントや立体感等のバリエーションを豊富に展開させることができる。
【００１２】
一方、本発明に係る二重ラッパ部付き衣類の製造に用いる生地送りガイドは、上ラッパテープ用のテープ生地をそのテープ幅方向に二つ折りさせた状態でミシンへ向けて送り出す第１ガイドと、下ラッパテープ用のテープ生地をそのテープ幅方向に二つ折りさせた状態でミシンへ向けて送り出す第２ガイドとを有したものである。
これら第１ガイドと第２ガイドとは、互いに並設されている。
また、これら第１ガイドと第２ガイドとは、第１ガイドの生地送出口部と第２ガイドの生地送出口部とが互いに上下に並び、且つ左右に偏心して設けられている。
【００１３】
そのため、これら両ガイドから送り出される上ラッパテープと下ラッパテープとは、互いの折り山側が左右に位置ズレした重ね状態に保持さえる。
このような生地送りガイドを使用することで、上ラッパテープと下ラッパテープとの双方を、共に自動で、且つ互いに所定の位置関係にしつつミシンへ送り出すことができる。そのため、二重ラッパ部付き衣類を製造するに際して二重ラッパ部の縫製作業が簡単且つ高能率で行えるようになる。
なお、第１ガイド及び第２ガイドは、それぞれの生地送出口部をミシンの縫製作業位置へ向けた状態としつつ、これら生地送出口部へ至る一次側のガイド通路をミシン側方部へターンさせて周辺装置に邪魔にならない構造にするのが好適である。
【００１４】
また、第１ガイドは、上ラッパテープ用のテープ生地が挿入される部分で、このテープ生地をその幅方向が起立する状態に設けられているものとし、これに対して第２ガイドは、下ラッパテープ用のテープ生地が挿入される部分で、このテープ生地をその幅方向が扁平になる状態に設けられているものとすればよい。
このようにすることで、ミシンとの配置的な干渉を避けることが、更に簡単にできる。
なお、これら第１ガイド及び第２ガイドにおける各テープ生地の挿入部分は、上記したミシン側方部へのターン部分に相当させればよい。
【００１５】
【発明の実施の形態】
以下、本発明の実施の形態を図面を参照して説明する。
図２は、本発明で製造される二重ラッパ部付き衣類１をＴシャツとした場合の一例を示しており、図１は、この衣類１の首まわりを形成している開口部２に対して二重ラッパ部３による縁取りを縫製する状況を拡大して示している。
また、図３乃至図５は、上記二重ラッパ部３を縫製するに際して使用する本発明に係る生地送りガイド５の一実施形態を示しており、図６乃至図８は、この生地送りガイド５による生地送り状況を判りやすく説明したものである。
【００１６】
まず、衣類１に設けられた二重ラッパ部３について説明する。
図１に示すように、この二重ラッパ部３は、上ラッパテープ６と下ラッパテープ７とを有している。
これら上ラッパテープ６と下ラッパテープ７とは互いに重ね張り状態となっており、このうち上ラッパテープ６が外向きに位置付けられ、下ラッパテープ７が内向きに位置付けられている。
上ラッパテープ６は、細帯状を呈するテープ生地６ａによって形成されたもので、そのテープ幅方向を二つ折りにした断面Ｕ字形の構造を有している。
【００１７】
この上ラッパテープ６は、断面Ｕ字形を呈する中で形成された折り山を衣類１の開口部２内（図１右方）へ向けた状態とされ、且つ、身生地８の生地端の表裏を包み込むように取り付けられている。
なお、この上ラッパテープ６には、身生地８の外面側へ露出される端部に、折り返し端１０を形成させておくのが好適とされる。
これに対し、下ラッパテープ７も上ラッパテープ６の場合と略同様に、細帯状を呈するテープ生地７ａによって形成されたもので、そのテープ幅方向を二つ折りにした断面Ｕ字形の構造を有している。
【００１８】
また、この下ラッパテープ７は、断面Ｕ字形を呈する中で形成された折り山を衣類１の開口部２内（図１右方）へ向けた状態とされており、この点も、上ラッパテープ６の場合と略同様である。ただ、この下ラッパテープ７は、その折り山を上ラッパテープ６の折り山よりも更に開口部２の内方へ突出させるようになっている。
そして、この下ラッパテープ７は、上ラッパテープ６において身生地８の内面側（図１下側）へ位置付けられている折り返し面１１を、その内側から覆う配置で取り付けられている。好ましくは、上記折り返し面１１を全面的に覆い隠すようにすればよい。
【００１９】
これら上ラッパテープ６と下ラッパテープ７とは、このような状態でミシン１５によって身生地８と共に縫着されている。
このような構成の二重ラッパ部３を備える衣類１であると、上ラッパテープ６と下ラッパテープ７とが重なった部分（図１中にαで示す位置）では、上ラッパテープ６の外側の折り返し端１０を含めて、全体が６層構造となっており、また下ラッパテープ７が単独の部分（図１中にβで示す位置）では２層構造となっている。
【００２０】
そのため、これら両部分（α位置とβ位置）の間の１カ所にだけ段差１７が生じることになる。この段差１７は、衣類１としての外向き面に向けられたものであり、着用者の肌に直接接するようにはならない。
しかも、下ラッパテープ７単独の部分は身生地８を含んでいないため、とても柔らかく、この二重ラッパ部３として肌と優しく接触するようになる。
従って、この衣類１を着用しても、違和感やゴワツキ感、或いは不快感は殆ど感じなくなり、着心地や肌触りが極めて良好となる。
【００２１】
また、上ラッパテープ６と下ラッパテープ７との間で生地質や色を異ならせる場合、下ラッパテープ７を上ラッパテープ６から露出させる割合を大きくできるために、これを見る者へ強いインパクトを与えることができるようになる。そのため、衣類１の全体として、アクセントや立体感等のバリエーションを豊富に展開させることができる。
次に、上記二重ラッパ部３を縫製する場合を例に挙げて、本発明に係る生地送りガイド５を説明する。
【００２２】
なお図９は、この生地送りガイド５がミシン１５に対して取り付けられた状態を、模式的な平面図にして示したものである。この図９から明らかなように、この生地送りガイド５は、ミシン１５の縫製作業位置Ｗ（針板等の設けられた位置）へ向けて上ラッパテープ６や下ラッパテープ７を送り込むことができるように、ミシン１５に対する生地送り方向の一次側の側部（図９中の右方）に取り付けられている。
図３に示すように、この生地送りガイド５は、第１ガイド３０と第２ガイド３１とを有している。
【００２３】
これら第１ガイド３０と第２ガイド３１とは互いに並設状態とされ、ボルト止め又は溶接等による連結部３３（図９参照）を介して互いに連結されており、第１ガイド３０における第２ガイド３１側とは反対側の側面に設けられた取付部３４（図９参照）を介して、ミシン１５の適所に取り付けられている。
第１ガイド３０は、上ラッパテープ６用のテープ生地６ａをガイドするところである。テープ生地６ａは、図３中の右方側からガイド内へ挿入され、途中、図６に示すようにそのテープ幅方向が二つ折りされる過程を経て、図３中の左方側に設けられた生地送出口部３６からミシン１５へ向けて送り出される。
【００２４】
そして、この第１ガイド３０の生地送出口部３６から送り出されるテープ生地６ａは、平面的に見てＬ字状に送出方向を曲げられ、その後、ミシン１５の縫製作業部Ｗへと直進するようになっている（図９等参照）。
これに対し、第２ガイド３１は、下ラッパテープ７用のテープ生地７ａをガイドするところである。テープ生地７ａは、図３中の右方からガイド内へ挿入され、途中、図７及び図８に示すようにそのテープ幅方向が二つ折りされる過程を経て、図３中の左方側に設けられた生地送出口部３７からミシン１５へ向けて送り出される。
【００２５】
そして、この第２ガイド３１の生地送出口部３７から送り出されるテープ生地７ａも亦、平面的に見てＬ字状に送出方向を曲げられ、その後、ミシン１５の縫製作業部Ｗへ向けて直進するようになっている（図９等参照）。
これらの説明から明らかなように、第１ガイド３０や第２ガイド３１は、生地送出口部３６側、或いは生地送出口部３７側から見た状態で言えば、これら生地送出口部３６，３７へ至る一次側のガイド通路をミシン１５の側方部へターンさせた状態となっている。
【００２６】
従って、これら第１ガイド３０や第２ガイド３１に対してテープ生地６ａ，７ａが挿入される各部分（挿入口部）は、ミシン１５の後方（図９上方）に向いており、各テープ生地６ａ，７ａのストック位置（図示略）はミシン１５の背後に配置されることになる。このため、この生地送りガイド５（第１ガイド３０及び第２ガイド３１）は、ミシン１５をはじめその他の周辺装置に邪魔にならない。
図４に示すように、第１ガイド３０の生地送出口部３６と、第２ガイド３１の生地送出口部３７とは、互いに上下に並び、且つ左右に偏心して設けられている。
【００２７】
そのため、第１ガイド３０から送り出される上ラッパテープ６（テープ生地６ａから折り曲げ整形された状態のもの）と、第２ガイド３１から送り出される下ラッパテープ７（テープ生地７ａから折り曲げ整形されたもの）とは、互いの折り山側が左右に位置ズレした、所定の重ね状態（図１に示した二重ラッパ部３の断面構造を参照のこと）となる。
なお、図５に示すように、第１ガイド３０は、テープ生地６ａが挿入される段階でこのテープ生地６ａをその幅方向が起立する状態とさせており、これに対して第２ガイド３１は、テープ生地７ａが挿入される段階でこのテープ生地７ａをその幅方向が扁平（略水平）にする状態とさせている。
【００２８】
そして、図６に示したように、第１ガイド３０内を通過するテープ生地６ａは、最初、扁平な状態から一旦、断面Ｓ字状を呈する状態に起こされ、その後、送出方向が平面Ｌ字状に曲げられる時点で幅方向の二つ折り状態にされ、最終的な整形が施されつつ上ラッパテープ６として所定の断面形状が与えられるようになっている。
また第２ガイド３１内を通過するテープ生地７ａは、図７及び図８に示したように、最初、起立させた状態からその高さ方向中央部を撓ませて次第にテープ幅方向の二つ折り状態（断面Ｕ字状構造）にさせてゆき、その後、送出方向が平面Ｌ字状に曲げられる位置を経て、下ラッパテープ７として所定の断面形状が与えられるようになっている。
【００２９】
この第２ガイド３１には、テープ生地７ａを起立状態で挿入させるために、この第２ガイド３１への挿入経路に針金材で形成した生地さばきガイド３９（図３参照）が設けられている。
このようにして、第１ガイド３０からの上ラッパテープ６と第２ガイド３１からの下ラッパテープ７とが互いに寄り添いながら、同行的にミシン１５へと向かう。これにより、二重ラッパ部３付きの衣類１を製造するに際して、この二重ラッパ部３の縫製作業がいとも簡単且つ高能率で行えるようになる。
【００３０】
本発明は、上記実施形態に限定されるものではなく、細部の構造や各部寸法関係、使用素材、用途等に関して適宜変更が可能である。
例えば、二重ラッパ部３において、上ラッパテープ６や下ラッパテープ７の折り数等は適宜変更可能である。
また、衣類１としてこの二重ラッパ部３を設ける位置や、衣類１の種類等についても何ら限定されるものではない。
【００３１】
【発明の効果】
以上の説明から明らかなように、本発明で製造される二重ラッパ部付き衣類では、着心地や肌触りを良好にさせることができる。また必要に応じて、アクセントや立体感としてインパクトの強いものを生じさせることができる。
一方、本発明に係る二重ラッパ部付き衣類の製造に用いる生地送りガイドでは、二重ラッパ部付き衣類を製造するに際して二重ラッパ部の縫製作業を簡単且つ高能率で行えるようになった。
【図面の簡単な説明】
【図１】  図３のＣ−Ｃ線拡大断面図（二重ラッパ部を縫製する状況を示した拡大断面図）である。
【図２】  本発明で製造される二重ラッパ部付き衣類をＴシャツとした場合の一例を示している。
【図３】  二重ラッパ部を縫製するに際して使用する本発明に係る生地送りガイドの一実施形態を示した斜視図である。
【図４】  図３のＡ−Ａ線拡大断面図である。
【図５】  図３のＢ−Ｂ線拡大断面図である。
【図６】  第１ガイドにより上ラッパテープ用のテープ生地が生地送りされる状況をこのテープ生地の断面形状の軌跡として表した図である。
【図７】  第２ガイドにより下ラッパテープ用のテープ生地が生地送りされる状況を判りやすく説明した斜視図である。
【図８】  図７に示したテープ生地の生地送り状況をこのテープ生地の断面形状の軌跡として表した図である。
【図９】  本発明に係る生地送りガイドがミシンに対して取り付けられた状態を模式的に示した平面図である。
【図１０】  従来のラッパ部を縫製する状況を示した拡大断面図である。
【符号の説明】
１      衣類
２      開口部
３      二重ラッパ部
５      生地送りガイド
６      上ラッパテープ
６ａ    上ラッパテープ用のテープ生地
７      下ラッパテープ
７ａ    下ラッパテープ用のテープ生地
８      身生地
１５      ミシン
３０      第１ガイド
３１      第２ガイド
３６      第１ガイドの生地送出口部
３７      第２ガイドの生地送出口部
Ｗ      縫製作業位置
【図１】
0004028203.tif 000002
【図２】
0004028203.tif 000003
【図３】
0004028203.tif 000004
【図４】
0004028203.tif 000005
【図５】
0004028203.tif 000006
【図６】
0004028203.tif 000007
【図７】
0004028203.tif 000008
【図８】
0004028203.tif 000009
【図９】
0004028203.tif 000010
【図１０】
0004028203.tif 000011